(57)【要約】【課題】大型テレビを載せるテレビボードについて、テレビ画面を所望する向きに容易に変更できるようにする。【解決手段】床面に固定的に設置される平面視弓形の本体部２Ａと、平面視形状・サイズを本体部２Ａとほぼ同一とされキャスター６０で水平移動可能とされて本体部２Ａ上面側を覆いながら重畳的に配置されるテレビ搭載部３Ａからなるテレビボード１Ａであって、テレビ搭載部３Ａの底面に設けた弧状の案内手段であるレール３００ａ，３００ｂと本体部２Ａ上面に設けられて案内手段に係合しながら摺動することで本体部２Ａ上方におけるテレビ搭載部３Ａの移動方向を規制させる係合体２７，２７との組合せにより、テレビ搭載部３Ａが本体部２Ａ上に重なった状態と本体部２Ａ背面の平面視形状に沿う曲線軌道で移動・転回した状態の間で、テレビ画面の向きを変更する変形動作を行えるものとした。【選択図】図２
2020130476.tif 000002
【特許請求の範囲】
【請求項１】
床面に固定的に設置される平面視弓形の本体部と、平面視の形状・サイズが前記本体部とほぼ同一とされて下端側のキャスターで水平移動を可能とされながら前記本体部上面側を総て覆うように重畳的に配置されるテレビ搭載部からなるテレビボードにおいて、該テレビ搭載部の底面又は／及び前記本体部の上面に設けた弧状の案内手段と該案内手段を設けた面に対向した面に設けられて前記案内手段に係合しながら前記案内手段に沿って摺動することで前記本体部上方における前記テレビ搭載部の移動方向を規制させる係合体との組合せにより、前記テレビ搭載部が前記本体部の上に完全に重なった状態と、前記本体部背面の平面視形状に沿う曲線軌道で水平移動しながら所定角度転回した状態の間で、テレビ画面の向きを変更させる変形動作が可能とされている、ことを特徴とするテレビボード。
【請求項２】
前記キャスターは、前記テレビ搭載部の底面における左右いずれかの一端側から下向きに延設された支持脚の先端側に設けられて床面に当接しながら前記一端側を支持するもの、及び前記底面の他端側に設けられて前記本体部の上面に載りながら前記他端側を支持するものの、少なくとも２個が設けられている、ことを特徴とする請求項１に記載したテレビボード。
【請求項３】
前記キャスターは、前記テレビ搭載部の底面における背面側端縁部の殆どが下向きに延設されてなる平面視弧状の脚板の先端面のうち少なくとも両端側及び中間位置に設けられており、前記キャスターで床面に当接しながら前記テレビ搭載部の重量の大部分を支えている、ことを特徴とする請求項１に記載したテレビボード。
【請求項４】
前記案内手段の少なくとも１つは、その長手方向に亘る側面に歯を設けられて円弧型のラックギヤを構成しており、該ラックギヤに噛合したピニオンギヤが前記本体部又は前記テレビ搭載部に内装した電動モータで回転駆動するものとされ、前記テレビ搭載部の転回動作が電動で自動的に行われる、ことを特徴する請求項１，２又は３に記載したテレビボード。
【請求項５】
前記本体部の上面所定位置には車輪を上向きにしたキャスターが設けられており、前記テレビ搭載部を下から支えながらその転回動作を補助するとともに、前記テレビ搭載部の底面に設けた前記案内手段に係合して前記テレビ搭載部の動作方向を規制する前記係合体を兼ねる、ことを特徴とする請求項１，２，３又は４に記載したテレビボード。
【発明の詳細な説明】
【技術分野】
【０００１】
本発明は、テレビを上面に搭載するテレビボードに関し、殊に、大型テレビを載せた状態で変形させることで、テレビ画面を任意の向きに変更できるテレビボードに関する。
【背景技術】
【０００２】
近年、一般家庭においても薄型で４０インチを超えるようなディスプレイを有した大型テレビが広く普及している。このような大型テレビは、図９（Ａ）に示すように、その画面と同等の左右幅を有する箱形のテレビボード１Ｄに載せた状態にして、部屋をなるべく広く使用できるように壁際またはコーナー付近に配置されるのが通常である。
【０００３】
図９の部屋は一般的な住宅で多く採用されているリビングダイニングであるが、コーナー付近の壁際に置かれたテレビ１００は、住人にとってくつろぎの場所であるリビング部分のソファー７０に対し画面が正対するように配置することで、ソファー７０に座っている人の視線（一点鎖線矢印）が画面に対し直角になり、映像を最も見やすい状態となる。
【０００４】
しかし、食事の際など、ダイニングテーブル８０側でテレビ１００を視聴しようとする場合は、図９（Ａ）のような配置ではテレビ１００の画面に対し視線が鋭角になるため映像が見にくい状態となる。また、この位置でテレビ１００をリモコン操作しようとしても、無線信号の角度が鋭角すぎて充分に作動しないことも多い。そこで、テレビ１００の首振り機能を使用して画面をダイニング側に向けることも考えられるが、首振り可能な角度は通常４５°以内であるため、充分な対応は難しい。
【０００５】
これに対し、特開平５−１７６２６２号公報に記載され、図９（Ｂ）に示すように、テレビ１００を登載している台座１０１が回動してテレビ画面を所望の方向に向けられるようにしたテレビボード１Ｅも知られている。しかし、４０インチを超えるような大型のテレビ１００を壁際に配置した場合には、台座１０１を回したとしても、テレビ１００の大きな左右幅によりその裏側角部が背後の壁にすぐに当たってしまうため、適度な向きになるまで画面を転回させることはできない。
【０００６】
一方、例えば実登第３１６８４０１号公報に記載され、図９（Ｃ）に示すもののように底面側に複数個のキャスターを有して可動式としたテレビボード１Ｆも普及している。このテレビボード１Ｆでは、その一端側を壁面から離すようにキャスターの向きを変えながら転回させた後、他端側を壁際まで移動させることにより、テレビ画面の向きを大きく転回させることができる。
【０００７】
しかしながら、この場合は、各キャスターの向きが自在に変動して転回方向が定まりにくくなるため、一人でテレビボード１Ｆの動きを正確に操作しながらテレビ画面を所望する向き・位置で停止させることは容易ではない。また、キャスターの向きに対し直角方向に押した場合はテレビ１００を転倒させてしまう畏れもある。
【０００８】
そのため、テレビ画面の向きを変える転回動作を一人で容易に行えるテレビボードが望まれていた。そこで、本願発明者らは、先に特許第５８８２８１６号公報において図１０に示すような車輪付架台を提案した。これは、台座板１０Ａを支持する水平回動板２００，２１０に設けた複数の車輪同士が互いに直角になる角度を維持するように両者をリンクバー９０で連結してあり、水平回動板２００，２１０を車輪が向いている方向に枢軸間の距離だけ走行させることで、台座板の向きが９０°転回し、逆の動作で元の位置・向きに戻るようになっている。
【０００９】
これにより、大型テレビを載せた場合であっても、広いスペースを要することなく画面の向きを９０度の範囲で変更することが可能となった。ところが、この車輪付架台においては、柔らかいカーペットの上では走行動作による車輪への抵抗が大きいために一人では転回させにくくなることに加え、転回と戻し動作を複数回繰り返すことで車輪の軌道にズレが生じることから、当初に配置した位置に正確に戻りにくくなるという問題もあった。
【先行技術文献】
【特許文献】
【００１０】
【特許文献１】特開平５−１７６２６２号公報
【特許文献２】実登第３１６８４０１号公報
【特許文献３】特許第５８８２８１６号公報
【発明の概要】
【発明が解決しようとする課題】
【００１１】
本発明は、上記のような問題を解決しようとするものであり、大型テレビを載せるテレビボードについて、テレビ画面を所望する向きに容易に変更できるようにすることを課題とする。
【課題を解決するための手段】
【００１２】
そこで、本発明は、床面に固定的に設置される平面視弓形の本体部と、平面視の形状・サイズが本体部とほぼ同一とされて下端側のキャスターで水平移動を可能とされながら本体部上面側を総て覆うように重畳的に配置されるテレビ搭載部からなるテレビボードにおいて、テレビ搭載部の底面又は／及び本体部の上面に設けた弧状の案内手段とこの案内手段を設けた面に対向した面に設けられて案内手段に係合しながら案内手段に沿って摺動することで本体部上方におけるテレビ搭載部の移動方向を規制させる係合体との組合せにより、テレビ搭載部が本体部の上に完全に重なった状態と、本体部背面の平面視形状に沿う曲線軌道で水平移動しながら所定角度転回した状態の間で、テレビ画面の向きを変更させる変形動作が可能とされている、ことを特徴とするものとした。
【００１３】
このように、弓形の本体部とこれに重ねた状態でテレビを搭載するテレビ搭載部の平面視形状・サイズをほぼ共通したものとしながら、これらが重なる部分に設けた弧状の案内手段とこれに係合する係合体の組合せにより、テレビ搭載部が本体部背面の曲線に沿う軌道に移動方向を規制されながら変形可能なものとしたことで、これに搭載したテレビの画面を一人でも所望する向きに容易に変更できるようになる。
【００１４】
また、このテレビボードにおいて、そのキャスターは、テレビ搭載部の底面における左右いずれかの一端側から下向きに延設された支持脚の先端側に設けられて床面に当接しながら前記一端側を支持するもの、及び前記底面の他端側に設けられて本体部の上面に載りながら前記他端側を支持するものの少なくとも２個が設けられている、ことを特徴としたものとすれば、簡易な構成により左右いずれか一方の方向にスムースな転回動作が行えるものとなる。
【００１５】
或いは、そのキャスターは、テレビ搭載部の底面における背面側端縁部の殆どが下向きに延設されてなる平面視弧状の脚板の先端面のうち少なくとも両端側及び中間位置に設けられており、これらのキャスターで床面に当接しながらテレビ搭載部の重量の大部分を支えている、ことを特徴としたものとすれば、左右両方の向きに転回可能としながら、安定した転回動作を実現しやすいものとなる。
【００１６】
さらに、上述したテレビボードにおいて、その案内手段の少なくとも１つは、その長手方向に亘る側面に歯を設けられて円弧型のラックギヤを構成しており、そのラックギヤに噛合したピニオンギヤが本体部又はテレビ搭載部に内装した電動モータで回転駆動するものとされ、テレビ搭載部の転回動作が電動で自動的に行われることを特徴したものとすれば、力や手間を要することなくスムースかつ正確にテレビ画面の向きを変更することができる。
【００１７】
さらにまた、上述したテレビボードにおいて、その本体部の上面所定位置には車輪を上向きにしたキャスターが設けられており、テレビ搭載部を下から支えながらその転回動作を補助するとともに、テレビ搭載部の底面に設けた案内手段に係合しながらテレビ搭載部の動作方向を規制する係合体を兼ねる、ことを特徴としたものとすれば、テレビ搭載部の支持状態の安定性を確保しながらスムースかつ正確な転回動作を実現しやすいものとなる。
【発明の効果】
【００１８】
本体部及びテレビ搭載部の平面視形状・サイズをほぼ同一の弓形としながら、弧状の案内手段と係合体の組合せによりテレビ搭載部が本体部背面の曲線に沿うように移動方向を案内されるものとした本発明によると、テレビ画面を所望する向きに容易に変更できるものである。
【図面の簡単な説明】
【００１９】
【図１】本発明における第１の実施の形態のテレビボードの正面図である。
【図２】（Ａ）は図１のテレビボードの平面図、（Ｂ）は（Ａ）のテレビ搭載部を９０度転回させた状態の平面図である。
【図３】（Ａ）は図１のテレビ搭載部の底面図、（Ｂ）は図１の本体部の平面図である。
【図４】図２（Ｂ）の状態のテレビボードにおいてテレビ搭載部が本体部に載っている部分の構成を説明するためにテレビ搭載部の本体部分を透視状態にした拡大部分斜視図である。
【図５】図１のテレビボードにテレビを載せた状態でテレビ搭載部を４５度転回させた状態の斜視図である。
【図６】（Ａ）は本発明における第２の実施の形態のテレビボードの正面図、（Ｂ）は（Ａ）の底面図である。
【図７】（Ａ）は図６のテレビ搭載部を右方向に４５度転回させた状態の平面図、（Ｂ）は（Ａ）の底面図である。
【図８】図７（Ａ）のテレビボードにテレビを搭載した状態の斜視図、（Ｂ）は（Ａ）のテレビボードの変形例を示す斜視図である。
【図９】（Ａ），（Ｂ），（Ｃ）は従来例を示す平面図である。
【図１０】（Ａ），（Ｂ），（Ｃ）は他の従来例の動作を示す平面図である。
【発明を実施するための形態】
【００２０】
以下に、図面を参照しながら本発明を実施するための形態を説明する。
【００２１】
図１は本発明における第１の実施の形態であるテレビボード１Ａを正面図で示しており、図２は図１のテレビボード１Ａを平面図で示している。本実施の形態のテレビボード１Ａは、図２（Ｂ）に示すように床面に固定的に設置される平面視弓形の本体部２Ａと、図１，図２（Ａ）に示すように本体部２Ａと平面視形状・サイズがほぼ同一で下端側に配置したキャスター６０により並行移動が可能とされて本体部２Ａ上面を総て覆うように重畳的に配置されるテレビ搭載部３Ａからなり、４０インチを超えるような大型テレビをテレビ搭載部３Ａの天板３０に搭載して支持するものである。
【００２２】
テレビ搭載部３Ａ下端側に配置されるキャスター６０としては、図のような円盤状の並行キャスターが好適であるが、本体部２Ａの天板２０上面に対向するテレビ搭載部３Ａの底面左端側から下向きに延設された支持脚３０ａ先端側に設けられて床面に当接しながら左端側を支持するもの、及びその底面の右端側に設けられて本体部２Ａの天板２０の上に載りながら右端側を支持するものの２個に加え、右端側のキャスター６０の左側に配置された２個のキャスター６０，６０の合計４個を備えている。
【００２３】
また、テレビ搭載部３Ａは、天板３０の下方に３つの収納室３０ｂ，３０ｃ，３０ｄを備え、本体部２Ａも天板２０の下方に収納室２０ａ，２０ｂを備えており、ビデオデッキやチューナー等を収納できるようになっている。そして、テレビ搭載部３Ａは、図２（Ａ）に示したように本体部２Ａに完全に重なった状態から、図示しないスイッチを作動させて本体部２Ａに備えた減速ギヤ付きの電動モータ２５を駆動させることで、総てのキャスター６０の車輪が転動して左方向に移動しながら図２（Ｂ）の位置まで転回可能なものとされており、搭載したテレビの画面の向きを９０度の範囲の所望する角度まで変更できるようになっている。
【００２４】
即ち、本体部２Ａの天板２０上面に対向するテレビ搭載部３Ａの底面には、図３（Ａ）の底面図に示すように、弧状の案内手段であるレール３００ａ，３００ｂの２本が、本体部２Ａ及びテレビ搭載部３Ａの背面側の平面視による曲線に沿うように並列して配設されているとともに、図３（Ｂ）の本体部２Ａの平面図に示すように、レール３００ａ，３００ｂの間に挿入されて係合しながらこれに沿って摺動することで本体部２Ａ上方におけるテレビ搭載部３Ａの移動方向を規制させる軸状の係合体（カムフォロア）２７，２７が、本体部２Ａの天板２０上面に配設されており、これらの組合せでテレビ搭載部３Ａの転回動作を案内するようになっている。
【００２５】
具体的には、そのテレビ搭載部３Ａが、図２（Ａ）に示した本体部２Ａの上でこれを完全に覆うように重なった状態と、平面視で本体部２Ａ背面の曲線に対しテレビ搭載部３Ａの背面の曲線が重なる軌道で移動しながら所定角度転回した図２（Ｂ）に示した状態との間で、テレビの画面の向きを任意の角度で変更させる変形動作を行えるものとしている。
【００２６】
また、図４の拡大図に示すように、案内手段の一方であるレール３００ｂは、その外側の側面に長手方向の全長に亘って歯が形成されて円弧型のラックギヤを構成し、その歯に対し電動モータ２５の駆動軸先端に設けた歯車であるピニオンギヤ２５０が噛合しており、これが回動することで、テレビ搭載部３Ａが自動的に転回動作を行うようになっている。これにより、搭載したテレビ１００の画面を、例えば図５の斜視図に示すような向きになるように自動的に変形させることを可能としている。
【００２７】
このように、本実施の形態のテレビボード１Ａにおいて、弓形の本体部２Ａにこれと平面視のサイズ・形状が一致するテレビ搭載部３Ａを重ねながら、その間に弧状のレール３００ａ，３００ｂ及びこれらに係合する係合体２７，２７の組合せを設けたことにより、テレビ搭載部３Ａが本体部２Ａ背面の平面視による曲線に沿う軌道に移動方向を規制されるようにして、搭載したテレビ１００の画面を９０度の範囲内で任意の向きに容易に変更可能なものとしている。
【００２８】
尚、係合体２７は、レール３００ａ，３００ｂの間に設けることのほか、これらを長手方向に対し直角方向に対で挟み込むように配置しても良く、レール３００ａ，３００ｂの両側と間に配置するものの組合せでも良い。また、図３（Ｂ）に示したように、本体部２Ａの天板２０上面で転回時にテレビ搭載部３Ａが重なる範囲において、車輪を上向きにしたキャスター６０を配設しても良い。これにより、テレビ搭載部３Ａを下から支えながらその転回動作を補助するとともに、テレビ搭載部３Ａ底面に設けたレール３００ｂの側面に係合しながらテレビ搭載部３Ａの動作方向を規制する係合体を兼ねることもできる。
【００２９】
この場合、テレビ搭載部３Ａが転回動作の中間位置において、天板２０上面に配置したキャスター６０がテレビ搭載部３Ａの中央部背面側を下から支えるため、安定した転回動作を行いやすいものとなる。さらに、テレビ搭載部３Ａ底面のキャスター６０が最大の転回位置で天板２０上面のキャスター６０に当接するような配置とすれば、テレビ搭載部３Ａが過剰に転回するのを停止させるストッパとして機能させることもできる。
【００３０】
図６（Ａ）は、本発明における第２の実施の形態であるテレビボード１Ｂを正面図で示しており、図（Ｂ）はその背面図を示している。本実施の形態においては、テレビ搭載部３Ｂがその底面の背面側を本体部２Ｂの背面に沿うようにその全長に亘って下向きに延設してなる平面視弧状の脚板３１０を備えているとともに、その脚板３１０先端面における両端側及び中間位置で床面に接するようにキャスター６０が設けられており、その３個のキャスター６０，６０，６０で、テレビ搭載部３Ｂの重量の総てを支えるようになっている点を特徴としている。
【００３１】
本実施の形態においても、上述したテレビボード１Ａと同様に、テレビ搭載部３Ｂの底面に円弧状のレール３００ｃ，３００ｄが並列して配設されており、電動モータ２５の駆動軸先端に設けたピニオンギヤ２５０がラックギヤであるレール３００ｃに噛合しているとともに、その２本の間に挿入・係合しながらテレビ搭載部３Ｂの動作方向を規制させる係止体２７，２７が配設されているが、そのピニオンギヤ２５０と係止体２７，２７の配設位置がテレビボード１Ｂの左右方向における中央付近とされている。
【００３２】
これは、本実施の形態においては、テレビ搭載部３Ｂには本体部２Ｂの背面を後ろから総て覆うようにして脚板３１０を設けてあるとともに、その脚板３１０の下端側でテレビ搭載部３Ｂの総ての重量を支える構成としたことで、図８（Ａ）に示すように右方向に４５度の範囲で転回できることに加え、図示は省略するが左方向にも４５度の範囲で転回可能なものとして、左右両方向に合計９０度の範囲で転回するようになっている関係で、テレビボード１Ｂの左右方向中間位置に歯車２５０及び係止体２７，２７を設けたものとしている。
【００３３】
尚、図８（Ｂ）に示すテレビボード１Ｃのように、上述したテレビボード１Ｂのテレビ搭載部３Ｂを収納部のないテレビ搭載部３Ｃにして１００の搭載位置を低くした変形例においては、その重心の低さにより転回動作時の安定性をさらに高めることができる。また、上述した実施の形態では、テレビ搭載部３Ａ，３Ｂの転回動作を電動で自動的に行う方式の場合を説明したが、テレビボードの載置面がフローリングのような滑らかな状態である場合は、手動式としても比較的容易に転回動作を行うことができる。
【００３４】
さらに、上述した実施の形態においては、案内手段としてのレールをテレビ搭載部の底面側に設ける場合を説明したが、案内手段は邪魔にならない限り本体部の上面に設けてもよく、また、案内手段としては、レールではなく溝であっても良く、或いはレールと溝の組合せであっても良い。
【００３５】
以上、述べたように、大型テレビを載せるテレビボードについて、本発明により、テレビ画面の向きを容易に変更できるようになった。
【符号の説明】
【００３６】
１Ａ，１Ｂ，１Ｃ  テレビボード、２Ａ，２Ｂ  本体部、３Ａ，３Ｂ，３Ｃ  テレビ搭載部、２５  電動モータ、２７  係止体、３０ａ  支持脚、６０  キャスター、１００  テレビ、２５０  ピニオンギヤ、３００ａ，３００ｂ，３００ｃ，３００ｄ  レール、３１０  脚板
【図１】
2020130476.tif 000003
【図２】
2020130476.tif 000004
【図３】
2020130476.tif 000005
【図４】
2020130476.tif 000006
【図５】
2020130476.tif 000007
【図６】
2020130476.tif 000008
【図７】
2020130476.tif 000009
【図８】
2020130476.tif 000010
【図９】
2020130476.tif 000011
【図１０】
2020130476.tif 000012